(57)【要約】【課題】落下時の衝撃により機器本体や前パネルが変形するのを防止できる温風暖房機を提供する。【解決手段】  温風吹出口３を備えた前パネル１４と、上面板１５と、側面及び背面を覆う背面板１６とを置き台１７の上に固定して機器本体１を構成し、燃焼筒１１が取り付けられた送風ボックス８に、バーナ取付台３５の上部にバーナヘッド１０を設けると共に下方に気化筒３４を取付けたバーナ部９が組み込まれる温風暖房機に於いて、送風ボックス８の前面側を温風吹出口３及び背面板１６の側面の先端の曲げ部分に螺合したので、落下時に送風ボックス８の前面側にかかる荷重が温風吹出口３及び背面板１６の側面の先端の曲げ部分に分散し、それにより落下による温風暖房機本体１や前パネル１４の下部が変形してしまうのを防止できるものである。【選択図】  図２
2019100619.tif 000002
【特許請求の範囲】
【請求項１】
温風吹出口を備え前面を覆う前パネルと、上面を覆う上面板と、側面及び背面を覆う背面板とを置き台の上に固定して機器本体を構成すると共に、燃焼筒が取り付けられた燃焼筒基板に、左右の側面部と天板部からなる断面コの字状の送風ボックスカバー部が取り付けられた送風ボックスと、バーナ取付台の下方に気化筒を取付け、バーナ取付台の上部にバーナヘッドが設けられたバーナ部とを備え、前記燃焼筒がバーナヘッドを囲堯して燃焼空間を形成するように送風ボックスにバーナ部が組み込まれる温風暖房機に於いて、前記送風ボックスの前面側を温風吹出口及び背面板の側面の先端の曲げ部分に螺合したことを特徴とする温風暖房機。
【請求項２】
前記送風ボックスの前面に送風ボックス前面固定部を設けると共に、背面板の側面の先端を略直角に折り曲げて前パネル当接部を形成し、前記送風ボックス前面固定部を前記前パネル当接部に螺合したことを特徴とする請求項１記載の温風暖房機。
【請求項３】
前記前パネル当接部に前記送風ボックス前面固定部と係合する送風ボックス前面固定部受け部を形成したことを特徴とする請求項２記載の温風暖房機。
【請求項４】
前記前パネル当接部に前記送風ボックス前面固定部と直交するように送風ボックス前面固定部を設け、前記送風ボックス前面固定部に切り欠き部を形成すると共に、前記送風ボックス前面固定部受け部に前記切り欠き部と係合する溝部を形成したことをことを特徴とする請求項３記載の温風暖房機。
【発明の詳細な説明】
【技術分野】
【０００１】
本発明は、灯油等の燃料の燃焼によって発生する燃焼ガスと送風用空気を混合して温風として送風することで暖房を行う温風暖房機に関するものである。
【背景技術】
【０００２】
従来、この種のものに於いては、図  に示すように１０１は温風暖房機本体で、１０２は温風を案内するルーバ１０３が取り付けられた温風吹出口、１０４は背面の空気取入口１０５にファンガード１０６を介して取り付けられた対流ファン、１０７は前記空気取入口１０５と温風吹出口１０２とを連通する送風ボックス、１０８は前記送風ボックス１０７内にバーナヘッド１０９を突出して設けられたバーナ部、１１０は前記バーナヘッド１０９を囲堯して燃焼空間を形成する燃焼筒、１１１は前記送風ボックス７内で前記燃焼筒１１０の真上に配設された遮熱板で、前記バーナ部１０８は燃焼筒基板１１２の底部に固定されていると共にそのバーナヘッド１０９は燃焼筒基板１１２の上面に突出し、その突出したバーナヘッド１０９を囲堯するように燃焼筒１１０が燃焼筒基板１１２の上面に固定されているものである。
【０００３】
又前記機器本体１０１の外装体は、前面を覆う前パネル１１３と、上面を覆う上面板１１４と、側面及び背面を覆う背面板１１５とを置き台１１６の上に固定して構成され、前記前パネル１１３に温風吹出口１０２が取付けられている。
【０００４】
次に１１７は燃焼用空気を送風管１１８を介してバーナ部１０８へ送風する燃焼ファンで、カートリッジ式タンク（図示せず）からの燃料を一時的に溜め置く固定タンク（図示せず）内の燃料を、電磁ポンプにて送油管（図示せず）及び送油ノズル（図示せず）を介してバーナ部１０８へ圧送して気化させ、その気化ガスと燃焼ファン１１７からの燃焼用空気を混合させた後、その混合気を燃焼するものである。（例えば、特許文献１参照。）
【先行技術文献】
【特許文献】
【０００５】
【特許文献１】特開２００６−８４１２４号
【発明の概要】
【発明が解決しようとする課題】
【０００６】
ところで、この従来のものでは、燃焼筒基板１１２の底部にバーナ部１０８を固定し、燃焼筒基板１１２の上面に突出したバーナヘッド１０９を囲堯するように燃焼筒１１０が燃焼筒基板１１２の上面に固定し、更にそれを燃焼筒１１０の真上に位置するように配設された遮熱板が設けられている送風ボックス１０７に組み込むことにより、外筒組みというユニットにして機器本体１０１内に組み込むが、この外筒組みは、背面側は四隅を機器本体１０１の背面板１１５にネジ止めし、前面側は温風吹出口１０２のユニットに一カ所ネジ止めして固定していた。
【０００７】
そして例えば使用者がこの温風暖房機を移動させようと持ち上げて、誤って床に落下させてしまったり、工場で緩衝材と一緒に梱包され、その運送中に荷崩れ等で落下したとき、外筒組みの荷重がネジ止めの部分に掛り、特に前面側はネジ止めが一カ所なのでその前面側に掛る荷重が一点に集中し、荷重がそのネジ止めの部分から温風吹出口１０２のユニットに掛り、更に温風吹出口１０２のユニットを固定している機器本体１０１に掛って機器本体１０１が変形したり、前パネル１１３の下部が変形してしまうことがあった。
【０００８】
又、落下時の荷重による機器本体１０１の変形や前パネル１１３の下部の変形を防止するために、温風吹出口１０２のユニットの四隅を背面板１１５の両側面部分の先端の曲げ部分にねじ止めして固定し、外筒組みの前面側の一カ所ネジ止めの箇所にかかる荷重を背面板１１５に分散する方法もあるが、この場合、温風暖房機の製造で予め前パネル１１３に温風吹出口１０２のユニットに取付けておいて組み立てることができず、温風吹出口１０２のユニットを背面板１１５の両側面部分の先端の曲げ部分にねじ止めしてから前パネル１１３を組付けることとなり、使用するねじの数やねじ止めする孔の数、組み立て工数等が増加してコストアップしてしまう問題があった。
【課題を解決するための手段】
【０００９】
上記課題を解決するために、本発明の請求項１では、温風吹出口を備え前面を覆う前パネルと、上面を覆う上面板と、側面及び背面を覆う背面板とを置き台の上に固定して機器本体を構成すると共に、燃焼筒が取り付けられた燃焼筒基板に、左右の側面部と天板部からなる断面コの字状の送風ボックスカバー部が取り付けられた送風ボックスと、バーナ取付台の下方に気化筒を取付け、バーナ取付台の上部にバーナヘッドが設けられたバーナ部とを備え、前記燃焼筒がバーナヘッドを囲堯して燃焼空間を形成するように送風ボックスにバーナ部が組み込まれる温風暖房機に於いて、前記送風ボックスの前面側を温風吹出口及び背面板の側面の先端の曲げ部分に螺合したものである。
【００１０】
また、請求項２では、前記送風ボックスの前面に送風ボックス前面固定部を設けると共に、背面板の側面の先端を略直角に折り曲げて前パネル当接部を形成し、前記送風ボックス前面固定部を前記前パネル当接部に螺合したものである。
【００１１】
また、請求項３では、前記前パネル当接部に前記送風ボックス前面固定部と係合する送風ボックス前面固定部受け部を形成したものである。
【００１２】
また、請求項４では、前記前パネル当接部に前記送風ボックス前面固定部と直交するように送風ボックス前面固定部を設け、前記送風ボックス前面固定部に切り欠き部を形成すると共に、前記送風ボックス前面固定部受け部に前記切り欠き部と係合する溝部を形成したものである。
【発明の効果】
【００１３】
この発明の請求項１によれば、燃焼筒がバーナヘッドを囲堯して燃焼空間を形成するように送風ボックスにバーナ部が組み込まれる温風暖房機に於いて、前記送風ボックスの前面側を温風吹出口及び背面板の側面の先端の曲げ部分に螺合したので、落下時に送風ボックスの前面側にかかる荷重が温風吹出口及び背面板の側面の先端の曲げ部分に分散し、それにより落下時の荷重により温風暖房機本体が変形したり、前パネルの下部が変形してしまうのを防止できるものである。
【００１４】
又、請求項２によれば、前記送風ボックスの前面に送風ボックス前面固定部を設けると共に、背面板の側面の先端を略直角に折り曲げて前パネル当接部を形成し、前記送風ボックス前面固定部を前記前パネル当接部に螺合したので、落下時に送風ボックスの前面側にかかる荷重が温風吹出口及び背面板の側面先端の前パネル当接部に分散し、更に前記前パネル当接部は前パネルが取付けられてその分強度が増すので、より強い荷重がかかっても温風暖房機本体が変形したり、前パネルの下部が変形してしまうのを防止できるものである。
【００１５】
又、請求項３によれば、前記前パネル当接部に前記送風ボックス前面固定部と係合する送風ボックス前面固定部受け部を形成したので、落下時に前パネル当接部にかかる荷重が、送風ボックス前面固定部と前パネル当接部の螺合箇所と、送風ボックス前面固定部と送風ボックス前面固定部受け部の係合箇所に分散し、送風ボックス前面固定部と前パネル当接部の螺合箇所が落下時の荷重により破損するのを防止でき、又、前パネル当接部にかかる荷重も分散することで、前パネル当接部が破損するのも防止できるものである。
【００１６】
又、請求項４によれば、前記前パネル当接部に前記送風ボックス前面固定部と直交するように送風ボックス前面固定部受け部を設け、前記送風ボックス前面固定部に切り欠き部を形成すると共に、前記送風ボックス前面固定部受け部に前記切り欠き部と係合する溝部を形成したので、共に凹形状の切り欠き部と溝部がかみ合う状態で係合することで、特段の係合手段を用いることなく確実に係合でき、落下時の荷重を確実に受け止めることができるものである。
【図面の簡単な説明】
【００１７】
【図１】この発明一実施例を付した温風暖房機の正面図。
【図２】同前パネルを外した状態の正面図。
【図３】同概略図。
【図４】同外筒組の斜視図。
【図５】同外筒組の分解斜視図。
【図６】同送風ボックス前面固定部と送風ボックス前面固定部受け部の係合状態を示す要部斜視図。
【図７】従来の温風暖房機の概略図。
【発明を実施するための形態】
【００１８】
次に、この発明の一実施形態を図面に基づいて説明する。
１は温風暖房機の機器本体で、２は前面上部に備えられた操作部、３は温風を案内するルーバ４が取り付けられた温風吹出口、５は背面の空気取入口６にファンガード７を介して取り付けられた対流ファン、８は前記空気取入口６と温風吹出口３とを連通する送風ボックス、９は前記送風ボックス８内にバーナヘッド１０を突出して設けられたバーナ部、１１は前記バーナヘッド１０を囲堯して燃焼空間を形成する燃焼筒、１２は前記送風ボックス８内で前記燃焼筒１１の真上に配設された遮熱板で、前記燃焼筒１１は燃焼筒基板１３に取り付けられ、その燃焼筒１１が取り付けられた燃焼筒基板１３が送風ボックス８に取り付けられるものである。
【００１９】
前記機器本体１の外装体は、前面を覆う前パネル１４と、上面を覆う上面板１５と、側面及び背面を覆う背面板１６とを置き台１７の上に固定して構成され、前記前パネル１４には温風吹出口３が取付けられているものである。
【００２０】
そして灯油などの液体燃料を供給するカートリッジ式タンク（図示せず）からの燃料を一時的に固定タンク１８に溜め置き、該固定タンク１８内の燃料を送油管１９を介してバーナ部９へ電磁ポンプ２０が圧送し、燃焼ファン２１により燃焼用空気を送風管２２を介して送風するものである。
【００２１】
次に送風ボックス８の構造について説明する。
前記送風ボックス８は、燃焼筒１１が取り付けられた燃焼筒基板１３に、左右の側面部２３、２４と天板部２５からなる断面コの字状の送風ボックスカバー部２６がネジ止めされて取り付けられたもので、送風ボックス８の正面と背面は開口されていて、背面には温風取入口６からの送風が流入する送風流入部（図示せず）、正面には温風吹出口３へ温風を流出する送風流出部２７が形成されている。
【００２２】
又前記燃焼筒１１の正面左側に燃焼筒１１の一部を切り欠いて低くなっている切り欠き部２８が形成され、該切り欠き部２８には燃焼筒１１上方の燃焼ガス吹き出し口２９の約半分を塞ぐ蓋部３０が取り付けられている。
【００２３】
前記燃焼筒１１の背面底部には、対流ファン５からの送風空気の一部が、二次空気として燃焼筒１１内に供給されるための二次空気導入口３１が横長の長方形状に形成され、更に燃焼筒基板１３でその二次空気導入口３１よりも背面側の位置には、二次空気導入口３１に直接対流ファン５からの送風空気が流入しないように、二次空気導入口３１よりも高さの高い導入口遮蔽板３２を、二次空気導入口３１を覆い隠す程度に燃焼筒１１の外径と略同心円上に立設したものである。
【００２４】
前記バーナ部９は、ポットケース３３と、気化筒３４と、バーナ取付台３５と、点火プラグ３６と、フレームロッド３７と、バーナ断熱材３８と、整流板３９と、バーナ整流キャップ４０と、バーナガスケット４１と、あみ中４２と、バーナヘッドリング４３と、バーナヘッド４４とからなり、中央に穴が形成されたバーナ取付台３５の下方に、ポットケース３３内に収納された気化筒３４を取付け、前記バーナ取付台３５の上面には点火を行なう点火プラグ３６と炎の有無を検知するフレームロッド３７が設けられ、又、バーナ取付台３５の中央の穴の周りの凹部４５には中空状のバーナ断熱材３８が配置されている。
【００２５】
又、バーナ取付台３５の上部の中央の穴の中心に、有底筒状のバーナヘッド４４が設けられ、そのバーナヘッド４４の周りを覆うようにバーナヘッドリング４３が設けられている。
前記バーナヘッド４４内の内側に円筒中空状で網状のあみ中４２が設けられ、更にそのあみ中４２の内側に有底筒状のバーナ整流キャップ４０が設けられ、該バーナ整流キャップ４０の周りに中空円板状のバーナガスケット４１が設けられると共に、前記バーナ整流キャップ４０の底部に円板状の整流板３９が設けられている。
【００２６】
そして、温風暖房機本体１内略中央の高さにバーナ部９が配置され、そのバーナ部９のバーナ取付台３５の上に送風ボックス８の燃焼筒基板１３を係合させると、送風ボックス８の燃焼筒基板１３の前面側にＬ字状に形成された燃焼筒基板係止部４６の燃焼筒基板係止孔４７と、バーナ取付台３５の前面側にＬ字状に形成されたバーナ取付台係止部４８のバーナ取付台係止孔４９が、バーナ取付台３５の上に送風ボックス８の燃焼筒基板１３を係合させると同じ位置になる。
【００２７】
そして、前パネル１４を温風暖房機本体１に取付けると、前パネル１４に取付けた温風吹出口３に形成した外筒組固定孔５０が前記燃焼筒基板係止孔４７とバーナ取付台係止孔４９と同じ位置になり、外筒組固定孔５０側からねじ５１によりねじ止めすることで、温風吹出口３に燃焼筒基板１３とバーナ取付台３５の前部を固定するもので、送風ボックス８の背面側の四隅を背面板１６の背面部分にねじ止めすることで、送風ボックス８とバーナ部９からなる外筒組みが温風暖房機本体１内に固定されるものである。
【００２８】
更に、送風ボックス８前面の左側に送風ボックス前面固定孔５２を形成した送風ボックス前面固定部５３を設けると共に、温風暖房機本体１の背面板１６の側面部分の先端を略直角に折り曲げて前パネル１４の裏側が当接する前パネル当接部５４を形成し、その前パネル当接部５４の左側に、前記送風ボックス８の送風ボックス前面固定部５３をねじ止めするためにねじ切りされた送風ボックス固定孔５５が形成され、送風ボックス前面固定孔５２から送風ボックス固定孔５５にねじ５６を差し込んでねじ止めするものである。
【００２９】
更に、前記送風ボックス前面固定部５３の下部に切り欠き部５７を形成し、前パネル当接部５４の左側の一部を更に略直角に折り曲げて前記送風ボックス前面固定部５３を受ける送風ボックス前面固定部受け部５８を形成し、該送風ボックス前面固定部受け部５８には、送風ボックス前面固定部５３の切り欠き部５７を受ける溝部５９が形成されているものである。
【００３０】
次に温風暖房機の落下時について説明する。
例えば使用者が温風暖房機を移動させようと持ち上げて、誤って床に落下させてしまったとき、まず温風暖房機の置き台１７が床に衝突し、温風暖房機本体１内に設けられた送風ボックス８とバーナ部９からなる外筒組みの荷重が、送風ボックス８の背面側の四隅を背面板１６の背面部分にねじ止めした箇所と、外筒組固定孔５０側からねじ５１により温風吹出口３に燃焼筒基板１３とバーナ取付台３５の前部を固定した箇所と、送風ボックス前面固定部５３の送風ボックス前面固定孔５２から前パネル当接部５４の送風ボックス固定孔５５にねじ５６を差し込んでねじ止めした箇所と、送風ボックス前面固定部５３の切り欠き部５７と送風ボックス前面固定部受け部５８の溝部５９の係合箇所とに分散してかかるものである。
【００３１】
これにより従来では送風ボックス８の背面側の四隅を背面板１６の背面部分にねじ止めした箇所と、外筒組固定孔５０側からねじ５１により温風吹出口３に燃焼筒基板１３とバーナ取付台３５の前部を固定した箇所の２カ所で、落下して床にぶつかった時の送風ボックス８とバーナ部９からなる外筒組みの荷重を受けていたが、本発明では、上記２カ所に加えて更に送風ボックス前面固定部５３の送風ボックス前面固定孔５２から前パネル当接部５４の送風ボックス固定孔５５にねじ５６を差し込んでねじ止めした箇所と、送風ボックス前面固定部５３の切り欠き部５７と送風ボックス前面固定部受け部５８の溝部５９の係合箇所の計４カ所で落下して床にぶつかった時の送風ボックス８とバーナ部９からなる外筒組みの荷重を受けるので、従来では外筒組みの前面側を１カ所で固定していた箇所に落下時の荷重が集中して温風暖房機本体１が変形したり、前パネル１４の下部が変形してしまうのを、本実施例では外筒組みの前面側を３カ所で固定又は支持することで落下時の荷重が分散して温風暖房機本体１が変形したり、前パネル１４の下部が変形してしまうのを防止できるものである。
【００３２】
又、送風ボックス８前面の送風ボックス前面固定部５３と、背面板１６の側面部分の先端の前パネル当接部５４とを、切り欠き部５７と溝部５９とがかみ合う状態で係合させてねじ止めしているので、落下時に前パネル当接部５４にかかる荷重が係合箇所とねじ止め箇所に分散され、落下時の外筒組みの荷重による前パネル当接部５４の変形を防止できるものである。
【００３３】
以上のように、前記送風ボックス８の前面側を温風吹出口３及び背面板１６の側面の先端の曲げ部分に螺合したので、落下時に送風ボックス８の前面側にかかる荷重が温風吹出口３及び背面板１６の側面の先端の曲げ部分に分散し、それにより温風暖房機本体１が変形したり、前パネル１４の下部が変形してしまうのを防止できるものである。
【００３４】
又、前記送風ボックス８の前面に送風ボックス前面固定部５３を設けると共に、背面板１６の側面の先端を略直角に折り曲げて前パネル当接部５４を形成し、前記送風ボックス前面固定部５３を前記前パネル当接部５４に螺合したので、落下時に送風ボックス８の前面側にかかる荷重が温風吹出口３及び背面板１６の側面先端の前パネル当接部５４に分散し、更に前記前パネル当接部５４は前パネル１４が取付けられてその分強度が増しているので、より強い荷重がかかっても温風暖房機本体１が変形したり、前パネル１４の下部が変形してしまうのを防止できるものである。
【００３５】
又、前記前パネル当接部５４に前記送風ボックス前面固定部５３と係合する送風ボックス前面固定部受け部５８を形成したので、落下時に前パネル当接部５４にかかる荷重が、送風ボックス前面固定部５３と前パネル当接部５４の螺合箇所と、送風ボックス前面固定部５３と送風ボックス前面固定部受け部５８の係合箇所に分散し、送風ボックス前面固定部５３と前パネル当接部５４の螺合箇所が落下時の荷重により破損するのを防止でき、又、前パネル当接部５４にかかる荷重も分散することで、前パネル当接部５４が破損するのも防止できるものである。
【００３６】
又、前記前パネル当接部５４に前記送風ボックス前面固定部５３と直交するように送風ボックス前面固定部受け部５８を設け、前記送風ボックス前面固定部５３に切り欠き部５７を形成すると共に、前記送風ボックス前面固定部受け部５８に前記切り欠き部５７と係合する溝部５９を形成したので、共に凹形状の切り欠き部５７と溝部５９がかみ合う状態で係合することで、特段の係合手段を用いることなく確実に係合でき、落下時の荷重を確実に受け止めることができるものである。
【００３７】
尚、本実施例では、背面板１６は側面及び背面を覆うものであるがこれに限定されず、側面板と背面板とを別部品で構成してもよいものである。
【００３８】
又、本実施例では、外筒組固定孔５０側からねじ５１により温風吹出口３に燃焼筒基板１３とバーナ取付台３５の前部を固定したがこれに限定されず、前パネル１４に燃焼筒基板１３とバーナ取付台３５の前部を固定してもよいものである。
【符号の説明】
【００３９】
１  機器本体
３  温風吹出口
８  送風ボックス
９  バーナ部
１０  バーナヘッド
１１  燃焼筒
１３  燃焼筒基板
１４  前パネル
１５  上面板
１６  背面板
１７  置き台
２３、２４  側面部
２５  天板部
２６  送風ボックスカバー部
３４  気化筒
３５  バーナ取付台
４４  バーナヘッド
【図１】
2019100619.tif 000003
【図２】
2019100619.tif 000004
【図３】
2019100619.tif 000005
【図４】
2019100619.tif 000006
【図５】
2019100619.tif 000007
【図６】
2019100619.tif 000008
【図７】
2019100619.tif 000009